(57)【特許請求の範囲】
【請求項１】
傾斜角度が調整自在な平行四辺形状のフェンスパネル体を上下に配設し、上側に位置するフェンスパネル体の下端部に下方突出垂直壁を有する上部目隠し部材を取付け、下側に位置するフェンスパネル体の上端部に上方突出垂直壁を有する下部目隠し部材を取付け、上部目隠し部材の下方突出垂直壁と下部目隠し部材の上方突出垂直壁を上下方向において重ね合わせ、下方突出垂直壁の下端に係合折曲縁を形成し、上方突出垂直壁の上端に被係合折曲縁を形成し、係合折曲縁と被係合折曲縁を係合したことを特徴とするフェンス。
【発明の詳細な説明】
【０００１】
【発明の属する技術分野】
この発明は、傾斜地での施工に適した傾斜角度調整自在なフェンスパネル体を有するフェンスであって、特に防犯あるいは視線を遮断する目的から、高さを必要とする場所で利用する為にフェンスパネル体を上下に配設した所謂二段柱仕様のフェンスに関するものである。
【０００２】
【従来の技術】
従来、矩形状のフェンスパネル体を施工場所の傾斜角度に合わせて任意の平行四辺形に変形可能とした、傾斜地用フェンスが知られている。
本出願人は特願２０００−２７２０４０に示すように、施工場所の傾斜角度に合わせて施工可能なフェンスを提案している。このフェンスは、フェンスパネル体における縦横の部材を相互回動自在に連結し、フェンスパネル体を任意の平行四辺形状に変形可能としているので、施工場所の傾斜角度に合わせたフェンスを施工可能としたものである。
【０００３】
フェンスパネル体は製造コスト削減の目的により、予め所定の大きさに形成されているため、フェンスの高さを必要とする施工場所においては、フェンスパネル体を上下に配設し、その高さを一挙に２倍とする施工方法が知られている。所謂二段柱仕様フェンスであり、フェンスパネル体二つ分の高さに相当する支柱を立設し、この支柱の一側位置に上下に並べてフェンスパネル体を取付けたものである。
【０００４】
しかし上下にフェンスパネル体を配設する場合、施工地の傾斜角度に応じてフェンスパネル体を任意の平行四辺形に変形させると、フェンスパネル体の傾斜角度に応じて上下フェンスパネル体の間隔が変化することになる。即ち、傾斜角度が大きくなるにつれて、上下フェンスパネル体の間隔が狭くなり、逆に傾斜角度が小さくなるにつれて、上下フェンスパネル体の間隔が大きくなり、水平状態ではその間隔が最大幅となる。
【０００５】
従って、最大傾斜角度において上下フェンスパネル体の間隔が最も狭くなるため、最大傾斜した状態において上下フェンスパネル体が当接しないよう所定の間隔を開けて配置しておけば、それ以下の傾斜角度においては、上下フェンスパネル体が当接することはない。
しかしながら、最大傾斜角度以下の傾斜角度とした場合、上下フェンスパネル体の間に隙間が発生し、この隙間はフェンスパネル体が水平に配置された場合において最大の大きさとなる。そして、この隙間はフェンスの外観を悪化させるものであり、目隠しフェンスとして使用する場合、視線を完全に遮断することができないものであった。
【０００６】
【発明が解決しようとする課題】
この発明の目的は、上下フェンスパネル体の間に発生する隙間を無くし、外観を良好としたフェンスを提供することにある。
【０００７】
【課題を解決するための手段】
本発明者等は、このような事情に鑑み鋭意検討を重ねた結果、傾斜角度が調整自在な平行四辺形状のフェンスパネル体を上下に配設し、上側に位置するフェンスパネル体の下端部に下方突出垂直壁を有する上部目隠し部材を取付け、下側に位置するフェンスパネル体の上端部に上方突出垂直壁を有する下部目隠し部材を取付け、上部目隠し部材の下方突出垂直壁と下部目隠し部材の上方突出垂直壁を上下方向において重ね合わせ、下方突出垂直壁の下端に係合折曲縁を形成し、上方突出垂直壁の上端に被係合折曲縁を形成し、係合折曲縁と被係合折曲縁を係合したことによって、所期の目的を達成したものである。
【０００８】
下方突出垂直壁の下端に係合折曲縁を形成し、上方突出垂直壁の上端に被係合折曲縁を形成し、係合折曲縁と被係合折曲縁を係合したことにより、あらゆる傾斜角度において、下方突出垂直壁と上方突出垂直壁は確実に重なり合うものとなる。
【０００９】
【作用】
この発明によれば、上下にフェンスパネル体を配設した所謂二段柱仕様フェンスにおいて、上側フェンスパネル体と下側フェンスパネル体との間に発生する隙間を、下方突出垂直壁と上方突出垂直壁によって完全に防止できるので、フェンスの外観を良好なものとすることができ、また目隠しフェンスとして使用する場合においては外部からの視線を完全に遮ることができる。
【００１０】
【発明の実施の形態】
以下、発明の実施の形態を実施例に基づき説明する。
図１ないし８は本発明フェンスの実施例であり、図中１はフェンスを表わし、フェンス１は施工場所に立設した支柱２と、支柱２の一側面に取付けられる複数のフェンスパネル体３とから構成されている。
フェンスパネル体３は図７に示したとおり、左右縦框３１，３１と上下横胴縁３２，３３を平行四辺形状に枠組して枠体３４を形成し、左右縦框３１，３１の間に複数の横桟材３５，３５…を配設したものである。
【００１１】
縦框３１は、アルミニウム製形材により形成され、縦框３１の内側面部３１１には、横材取付凹部３１２が縦框３１の上下方向全域にわたって開口形成されている。横材取付凹部３１２内には横胴縁３２，３３と横桟材３５の端部３２１，３３１，３５１が挿入され、縦框３１と横胴縁３２，３３及び横桟材３５の端部３２１，３３１，３５１が螺子４を介して相互回動自在に連結されている。
従って、フェンスパネル体３は図７に示したとおり、横胴縁３２，３３と横桟材３５が水平となった状態（Ａ）と、横胴縁３２，３３と横桟材３５が傾斜した状態（Ｂ）とに選択可能であり、施工場所の傾斜角度に合わせて任意の平行四辺形に変形することができる。
【００１２】
横胴縁３２，３３と横桟材３５の端部３２１，３３１，３５１は、横材取付凹部３１２の奥行き方向における略中央位置において縦框３１と連結（図６参照）されており、螺子４の位置を中心として横胴縁３２，３３と横桟材３５が所定の範囲内で回動しても、横胴縁３２，３３と横桟材３５の端面は常に横材取付凹部３１２内に納まった状態を維持し、横胴縁３２，３３と横桟材３５の端部３２１，３３１，３５１が横材取付凹部３１２から外部に露出することはなく、外観を良好なものとしている。
なお、隣接するフェンスパネル体３は、対峙する縦框３１の外側面部３１３を突き合わせ、ジョイント部材５によって連結される。
【００１３】
横桟材３５には、上羽板部３５２と下羽板部３５３が一体的に形成され、上下に隣接する上側の横桟材３５の下羽板部３５３と下側の横桟材３５の上羽板部３５２は、位置を前後にずらして上下方向に重なり合って配設されている。このような横桟材３５は、上羽板部３５２と下羽板部３５３によって視線を遮ることができ、風等の空気の流れは遮断することのない、所謂ルーバフェンスの形態を呈している。
【００１４】
上横胴縁３２の下部には、支柱取付面３２２が形成され、支柱取付面３２２の下縁には係合突片３２３が形成されている。一方支柱２には固定部材６が取付けられ、固定部材６は、上部に湾曲状押え部６１が形成され、下部に螺子孔６２が穿設されている。螺子孔６２には、支柱２を貫通する螺子部材７が螺入し、螺子部材７を中心として固定部材６が回動自在となっている。固定部材６の上部に形成した湾曲状押え部６１が上横胴縁３２の係合突片３２３と係合し、上横胴縁３２が固定部材６によって、支柱２に取付けられる。固定部材６は、横胴縁３２の傾斜角度に合わせて、螺子部材７を中心に回動可能であり、横胴縁３２の傾斜角度に関係無く常に係合突片３２３と一定の係合状態を維持することができ、上横胴縁３２を強固に支柱２に取付けることができる。
【００１５】
下横胴縁３３の下部には、支柱取付凹部３３２が形成され、支柱取付凹部３３２内には係合部３３３が突出形成されている。
上側に位置するフェンスパネル体３の下横胴縁３３の係合部３３３には、支柱２に取付けられる上部目隠し部材８の係合折曲片８１が係合している。上部目隠し部材８の支柱２側には連結金具スライド溝８２が形成され、連結金具スライド溝８２内に連結金具９がスライド自在に嵌合し、連結金具９に穿設した螺子孔に螺入し支柱２を貫通する螺子部材１０によって、上部目隠し部材８が支柱２の側面に取付けられる。
なお、連結金具９は螺子部材１０を中心として回動自在であり、下横胴縁３３の傾斜角度に応じて上部目隠し部材８を回動することができ、下横胴縁３３の傾斜角度に関係無く係合折曲片８１と係合部３３３は、常に一定の係合状態を維持することができ、下横胴縁３３を強固に支柱２に取付けることができる。
【００１６】
下側に位置するフェンスパネル体３の下横胴縁３３の係合部３３３には、支柱２に取付けられる支持部材１１の係合折曲片１１１が係合している。支持部材１１は螺子部材１２を用いて支柱２の側面に螺子止めされており、螺子部材１２を中心として回動自在となっている。従って、下横胴縁３３の傾斜角度に関係無く係合折曲片１１１と係合部３３３は、常に一定の係合状態を維持することができ、下横胴縁３３を強固に支柱２に取付けることができる。
【００１７】
下側に位置するフェンスパネル体３の上横胴縁３２の上端部には断面略Ｌ字状を呈する下部目隠し部材１３が取付けられ、下部目隠し部材１３の水平部１３１が上横胴縁３２に取付けられるＬ字形ブラケット１４によって上横胴縁の上面３２４に取付けられている。よって、上横胴縁３２と下部目隠し部材１３は、一体構造を呈している。
【００１８】
上部目隠し部材８には、下方突出垂直壁８３が形成され、さらに下方突出垂直壁８３の下端は、直角に折り曲げられて係合折曲縁８４が形成されている。
一方、下部目隠し部材１３には上方突出垂直壁１３２が形成され、さらに上方突出垂直壁１３２の上端は、直角に折り曲げられて被係合折曲縁１３３が形成されている。
図１に示したとおり、下方突出垂直壁８３の係合折曲縁８４と上方突出垂直壁１３２の被係合折曲縁１３３は係合し得る状態にあり、下方突出垂直壁８３と上方突出垂直壁１３２は上下方向において確実に重なり合うこととなる。
【００１９】
図１はフェンスパネル体３が水平に設置された状態であり、上側フェンスパネル体３の下横胴縁３３と下側フェンスパネル体３の上横胴縁３２との間隔は最大の大きさとなるが、下方突出垂直壁８３の係合折曲縁８４と上方突出垂直壁１３２の被係合折曲縁１３３は係合状態を維持しており、下方突出垂直壁８３と上方突出垂直壁１３２は確実に重なり合い、上側フェンスパネル体３の下横胴縁３３と下側フェンスパネル体３の上横胴縁３２との間に隙間は発生しない。
【００２０】
フェンスパネル体３を施工場所の傾斜角度に合わせて平行四辺形に変形させると、上側フェンスパネル体３の下横胴縁３３と下側フェンスパネル体３の上横胴縁３２との間隔が狭められ、この間隔は傾斜角度が大きくなるに連れて小さくなる。
下方突出垂直壁８３の係合折曲縁８４と上方突出垂直壁１３２の被係合折曲縁１３３は係合しているものの、上側フェンスパネル体３の下横胴縁３３と下側フェンスパネル体３の上横胴縁３２が近接する方向に対しての障害は無く、傾斜角度が大きくなるに連れて下方突出垂直壁８３と上方突出垂直壁１３２の重なり代が大きくなるだけである（図２参照）。
【００２１】
なお、上記実施例においては、横胴縁３２，３３を設けたフェンスパネル体３について説明したが、横胴縁を設けること無く、上下両側に位置する横桟材３５に直に上部目隠し部材８と下部目隠し部材１３を取付けても構わない。さらに、フェンスパネル体３に横桟材３５を設けたが、平行状に設けた縦桟材であっても構わない。
【００２２】
【発明の効果】
本発明フェンスによれば、上側に位置するフェンスパネル体の下端部に下方突出垂直壁を有する上部目隠し部材を取付け、下側に位置するフェンスパネル体の上端部に上方突出垂直壁を有する下部目隠し部材を取付け、上部目隠し部材の下方突出垂直壁と下部目隠し部材の上方突出垂直壁を上下方向において重ね合わせ、下方突出垂直壁の下端に係合折曲縁を形成し、上方突出垂直壁の上端に被係合折曲縁を形成し、係合折曲縁と被係合折曲縁を係合しているので、上側フェンスパネル体と下側フェンスパネル体との間に発生する隙間を、下方突出垂直壁と上方突出垂直壁によって完全に防止でき、フェンスの外観を良好なものとすることができ、また目隠しフェンスとして使用する場合においては外部からの視線を完全に遮ることができる。
【図面の簡単な説明】
【図１】  本発明フェンスのフェンスパネル体水平状態における中央部分縦断面図
【図２】  本発明フェンスのフェンスパネル体傾斜状態における中央部分縦断面図
【図３】  本発明フェンスの上部縦断面図
【図４】  本発明フェンスの下部縦断面図
【図５】  本発明フェンスにおけるフェンスパネル体の部分拡大正面図
【図６】  本発明フェンスの部分拡大平面図
【図７】  本発明フェンスにおけるフェンスパネル体の全体図であり、（Ａ）が水平状態、（Ｂ）が傾斜状態
【図８】  本発明フェンスの全体図
【符号の説明】
１      フェンス
２      支柱
３      フェンスパネル体
８      上部目隠し部材
１３      下部目隠し部材
８３      下方突出垂直壁
８４      係合折曲縁
１３２      上方突出垂直壁
１３３      被係合折曲縁
【図１】
0003786612.tif 000002
【図２】
0003786612.tif 000003
【図３】
0003786612.tif 000004
【図４】
0003786612.tif 000005
【図５】
0003786612.tif 000006
【図６】
0003786612.tif 000007
【図７】
0003786612.tif 000008
【図８】
0003786612.tif 000009